(57)【要約】【課題】ＩＳＯＦＩＸアンカの内蔵された孔部に蓋をするカバー部材を、より適切な構成により、開いた状態時に位置保持できるようにすること。【解決手段】チャイルドシート固定用のＩＳＯＦＩＸアンカ４を覆い隠す開閉可能なカバー部材１０を有するシート１であって、カバー部材１０がＩＳＯＦＩＸアンカ４を覆い隠すように閉じられた際にはシート裏側を向くがカバー部材１０が開かれることでシート表側を向くように裏返されるカバー部材１０のカバー裏側面部１０Ａと、カバー部材１０が開かれた際にカバー部材１０とＩＳＯＦＩＸアンカ４との間に露呈する被覆面部２Ａ１と、カバー部材１０を開いた状態に固定するストッパとしての押込み片２１と、を有する。押込み片２１は、カバー部材１０が開かれた状態時に被覆面部２Ａ１に着脱可能に係合する面ファスナ２１Ａと、カバー裏側面部１０Ａに当接する当接部２１Ｂと、を有する。【選択図】図１０
2018069958.tif 000002
【特許請求の範囲】
【請求項１】
チャイルドシート固定用のＩＳＯＦＩＸアンカの少なくとも一部を覆い隠す開閉可能なカバー部材を有する乗物用シートであって、
前記カバー部材が前記ＩＳＯＦＩＸアンカを覆い隠すように閉じられた際にはシート裏側を向くが前記カバー部材が開かれることでシート表側を向くように裏返される前記カバー部材のカバー裏側面部と、
前記カバー部材が開かれた際に該カバー部材と前記ＩＳＯＦＩＸアンカとの間に露呈する中間部と、
前記カバー部材を開いた状態に固定するストッパと、を有し、
該ストッパは、前記カバー部材が開かれた状態時に前記カバー裏側面部もしくは前記中間部の少なくとも一方に着脱可能に係合する係合部と、他方に対して前記カバー部材の閉じられる方向の移動を規制可能に当接する当接部と、を有する乗物用シート。
【請求項２】
請求項１に記載の乗物用シートであって、
前記ストッパの前記係合部が面ファスナにより構成されている乗物用シート。
【請求項３】
請求項１又は請求項２に記載の乗物用シートであって、
前記ＩＳＯＦＩＸアンカが当該乗物用シートに形成されたシート表側から凹む凹部内に設けられており、
前記ストッパが前記一方又は前記他方に繋がれていると共に、前記凹部内に前記カバー部材の閉じられる動きを阻害しない形に収めることのできる構成とされている乗物用シート。
【請求項４】
請求項３に記載の乗物用シートであって、
前記カバー部材と前記ストッパとが当該乗物用シートに対して互いに同一の回転中心まわりにヒンジ回転できるように繋がれた構成とされている乗物用シート。
【請求項５】
請求項１から請求項４のいずれかに記載の乗物用シートであって、
前記カバー部材が上側ヒンジの回転により開閉される構成とされている乗物用シート。
【発明の詳細な説明】
【技術分野】
【０００１】
本発明は、乗物用シートに関する。詳しくは、チャイルドシート固定用のＩＳＯＦＩＸアンカの少なくとも一部を覆い隠す開閉可能なカバー部材を有する乗物用シートに関する。
【背景技術】
【０００２】
従来、自動車用シートの座面後方部に、チャイルドシートを固定するための取付け具であるＩＳＯＦＩＸアンカが設置された構成が知られている（特許文献１）。上記ＩＳＯＦＩＸアンカは、シートクッションの後端部に形成された土手状に膨らむ部分に貫通して形成された孔部内に埋め込まれた状態として設けられている。上記ＩＳＯＦＩＸアンカの内蔵された孔部は、常時は、開閉可能なカバー部材により表側の開口部が覆われた構成とされており、チャイルドシートの装着時にカバー部材を開くことによりその内部のＩＳＯＦＩＸアンカを表側に露出させられるようになっている。
【先行技術文献】
【特許文献】
【０００３】
【特許文献１】特開２０１５−８５７３０号公報
【発明の概要】
【発明が解決しようとする課題】
【０００４】
上記従来技術では、カバー部材を開いた状態で孔部内に押し込むようにスライドさせることにより、カバー部材が孔部を開いた状態に位置保持される構成とされている。しかし、このような構成では、孔部内にカバー部材を受け入れるためのスペースと、カバー部材を孔部内にて開いた姿勢に保持する機構と、を設定しなければならず、孔部が大型化及び複雑化してしまう。本発明は、上記問題を解決するものとして創案されたものであって、本発明が解決しようとする課題は、ＩＳＯＦＩＸアンカの内蔵された孔部に蓋をするカバー部材を、より適切な構成により、開いた状態に位置保持できるようにすることにある。
【課題を解決するための手段】
【０００５】
上記課題を解決するために、本発明の乗物用シートは次の手段をとる。
【０００６】
第１の発明は、チャイルドシート固定用のＩＳＯＦＩＸアンカの少なくとも一部を覆い隠す開閉可能なカバー部材を有する乗物用シートであって、カバー部材がＩＳＯＦＩＸアンカを覆い隠すように閉じられた際にはシート裏側を向くがカバー部材が開かれることでシート表側を向くように裏返されるカバー部材のカバー裏側面部と、カバー部材が開かれた際にカバー部材とＩＳＯＦＩＸアンカとの間に露呈する中間部と、カバー部材を開いた状態に固定するストッパと、を有する。ストッパは、カバー部材が開かれた状態時にカバー裏側面部もしくは中間部の少なくとも一方に着脱可能に係合する係合部と、他方に対してカバー部材の閉じられる方向の移動を規制可能に当接する当接部と、を有する。
【０００７】
この第１の発明によれば、カバー部材が開かれた際にシート表側に向けられるカバー裏側面部と中間部とに跨ってストッパを着脱可能に設ける簡素な構成により、カバー部材を開いた状態に適切に位置保持することができる。
【０００８】
第２の発明は、上述した第１の発明において、次の構成とされているものである。ストッパの係合部が面ファスナにより構成されている。
【０００９】
この第２の発明によれば、ストッパの係合部を簡便かつコンパクトな構成とすることができる。
【００１０】
第３の発明は、上述した第１又は第２の発明において、次の構成とされているものである。ＩＳＯＦＩＸアンカが乗物用シートに形成されたシート表側から凹む凹部内に設けられている。ストッパが一方又は他方に繋がれていると共に、凹部内にカバー部材の閉じられる動きを阻害しない形に収めることのできる構成とされている。
【００１１】
この第３の発明によれば、不使用時のストッパを凹部内に収めてカバー部材を閉じることで、ストッパを紛失することなく外部に対して見栄え良く覆った状態としておくことができる。
【００１２】
第４の発明は、上述した第３の発明において、次の構成とされているものである。カバー部材とストッパとが乗物用シートに対して互いに同一の回転中心まわりにヒンジ回転できるように繋がれた構成とされている。
【００１３】
この第４の発明によれば、カバー部材とストッパとを互いに同じような操作感覚で動かすことができ、これらの操作性を向上させることができる。
【００１４】
第５の発明は、上述した第１から第４のいずれかの発明において、次の構成とされているものである。カバー部材が上側ヒンジの回転により開閉される構成とされている。
【００１５】
この第５の発明によれば、カバー部材が開かれた際にカバー部材がチャイルドシートの上に乗り上がるおそれがなくなるため、チャイルドシートをより安定した位置固定状態とすることができる。また、カバー部材をストッパによる位置固定状態が解かれた後、重力作用により閉じる方向に付勢することができる。
【図面の簡単な説明】
【００１６】
【図１】実施例１の乗物用シートの概略構成を表した斜視図である。
【図２】図１のII部拡大図である。
【図３】図２のIII-III線断面図である。
【図４】カバー部材を開いた状態から押込み部材を各孔部内に押し込んだ状態を表した斜視図である。
【図５】図４のV-V線断面図である。
【図６】カバー部材が閉じられた状態を表した斜視図である。
【図７】図６のVII-VII線断面図である。
【図８】図６から押込み部材を一方側の孔部から外し出してカバー部材を位置固定した状態に切り換えた状態を表した斜視図である。
【図９】図８のIX-IX線断面図である。
【図１０】更に押込み部材をもう一方側の孔部からも外し出してカバー部材を位置固定した状態に切り換えた状態を表した斜視図である。
【図１１】チャイルドシートが装着された状態を表した斜視図である。
【図１２】図１１のXII-XII線断面図である。
【発明を実施するための形態】
【００１７】
以下に、本発明を実施するための形態について、図面を用いて説明する。
【実施例１】
【００１８】
始めに、実施例１のシート１（乗物用シート）の構成について、図１〜図１２を用いて説明する。なお、以下の説明において、前後上下左右等の各方向を示す場合には、各図中に示されたそれぞれの方向を指すものとする。本実施例のシート１は、図１に示すように、ハイブリッド自動車の後部側座席として構成されており、着座乗員の背凭れ部となるシートバック２と、着座部となるシートクッション３と、を備えた構成とされている。上述したシート１は、３人掛け可能なベンチシートにおける幅方向に６：４分割された幅狭側の分割シートとして構成されている。上述したシートバック２の背裏部には、バッテリＢＡが搭載されており、同バッテリＢＡとの間の隙間内には、バッテリＢＡを冷却するための冷却風Ａが流されている。
【００１９】
上述したシートバック２は、その前面の幅方向の中央部分を成す天板メイン２Ａと、幅方向の両サイド部分を成す天板サイド２Ｂと、を備えた構成とされている。前者の天板メイン２Ａは、着座乗員の背部を比較的平坦な面形状で後側から支持する構成とされている。後者の天板サイド２Ｂは、それぞれが前外側へ向かって山状に斜めに膨らんだ面形状とされて着座乗員の背部を両外側から斜めに支持する構成とされている。
【００２０】
上述したシートバック２は、その内部骨格を成す図示しない金属製のバックフレームに対して、着座乗員の背凭れ荷重を弾性的に受け止めるように機能する発泡ウレタン製のバックパッド２Ｐが全体を覆うように被せ付けられた構成とされている。更に、上述したシートバック２は、上述したバックパッド２Ｐの外表面全体を覆うように合成皮革製のバックカバー２Ｃが被せ付けられることで、その外観意匠面が形作られた構成とされている。上述したシートバック２の基本的形状は、上述したバックカバー２Ｃの内部に設けられたバックパッド２Ｐにより形作られている。
【００２１】
上述したシートバック２の天板メイン２Ａの下部領域には、同領域を表側（前側）から開放可能に被覆する合成皮革製の横長形状のカバー部材１０が取り付けられている。上記カバー部材１０は、その上縁部がバックカバー２Ｃに一体的に縫合されており（縫合部ＳＴ）、同縫合部ＳＴを中心とした上側ヒンジの回転運動により天板メイン２Ａの下部領域を外部に対して被覆したり開放して露出させたりするようになっている（図２及び図６参照）。
【００２２】
図２〜図３に示すように、上述したカバー部材１０によって被覆されるシートバック２の天板メイン２Ａの下部領域には、その左右両端側の下角部分に、前後方向に貫通する形とされた正面視略矩形形状の孔部２Ａ２が形成されている。詳しくは、上述した各孔部２Ａ２は、シートバック２に対して前後方向と下方向とに貫通した形に形成されている。しかし、上記各孔部２Ａ２の下方向への開口は、図１で前述したシートクッション３の後端部分が下側から当てられていることにより、常時、閉塞された状態として保持されるようになっている。
【００２３】
上述した各孔部２Ａ２内には、図２〜図３に示すように、シート１の後下側から図示しない車体パネル上に固定された状態となって延出する左右一対のＩＳＯＦＩＸアンカ４が後側から通された状態として設けられている。これらＩＳＯＦＩＸアンカ４は、それぞれ、チャイルドシートＣＲＳを固定するためのアンカとして機能するものであり、図示しない車体パネル上から前側へ平面視略Ｕ字状に延び出す形とされて形成されている。これらＩＳＯＦＩＸアンカ４は、チャイルドシートＣＲＳの後下側の左右２箇所に設けられた各コネクタＣ１をこれらに対して前側から押し込むように操作することにより、各コネクタＣ１をこれらにロックさせられるようになっている（図１１〜図１２参照）。
【００２４】
上述した各孔部２Ａ２は、図２〜図３に示すように、上述したカバー部材１０及びカバー部材１０の裏側に別体的に重ねられた状態となって設けられている後述する押込み部材２０が、それぞれ、前側に開けられることにより、それらの孔形状が前側から目視で確認することのできる状態に露出されるようになっている。上記露出により、各孔部２Ａ２に対してチャイルドシートＣＲＳの各コネクタＣ１を差し込む作業を簡便に行うことができるようになっている。
【００２５】
また、各孔部２Ａ２は、図６〜図７に示すように、上述したチャイルドシートＣＲＳの取り付けがされない不使用時には、上述したカバー部材１０が閉じられることにより、それらの前側の開口部２Ａ２ａがそれらの周辺の被覆面部２Ａ１と共に、カバー部材１０によってひとまとめに表側から被覆された状態として保持されるようになっている。なお、上述した被覆面部２Ａ１及び各孔部２Ａ２の内周面部は、それぞれ、バックパッド２Ｐがむき出しとなっているのではなく、ファブリック製のカバーピースが外表面に被覆された構成とされている。ここで、各孔部２Ａ２が本発明の「凹部」に相当し、被覆面部２Ａ１が本発明の「中間部」に相当する。
【００２６】
しかし、上述したカバー部材１０は、上述した各孔部２Ａ２を外観上見えなくなるようには被覆するものの、これらの前側の開口部２Ａ２ａを密閉状態に閉塞するほどには被覆しない構成とされている。具体的には、カバー部材１０は、そのカバー裏側面部１０Ａの下側の縁部に縫着された横長帯状の面ファスナ１１（フック面）が、カバー部材１０が閉じられた際に対面する被覆面部２Ａ１の下側の縁部（各孔部２Ａ２の配置間領域における下側の縁部）に縫着された横長帯状の面ファスナ２Ａ３（ループ面）に前側から当てられて結合されることにより、上記閉じられた姿勢状態に保持される構成となっている。
【００２７】
そのため、各孔部２Ａ２は、上記のようにカバー部材１０によって前側から被覆された状態に保持されたとしても、それらの内部の流通経路が遮断された状態とはならない。このようなことから、各孔部２Ａ２は、それらの後側に貫通した開口部２Ａ２ｂからシート１の後側領域を流れる前述したバッテリＢＡの冷却風Ａが内部に流れ込むことがあった場合に、その流れ込んだ冷却風Ａを前側の開口部２Ａ２ａから着座乗員に向けて漏れ出させてしまうおそれがある。このような冷却風Ａの漏れが生じると、着座乗員に不快感を与えてしまうおそれがある。
【００２８】
そこで、上述した冷却風Ａの漏れを防止するために、上述したシートバック２の天板メイン２Ａの下部領域には、図４〜図５に示すように、上述したカバー部材１０とは別に、上述した各孔部２Ａ２内に前側から押し込まれて各孔部２Ａ２内の流通経路を遮断するように機能する押込み部材２０が設けられている。上述した押込み部材２０は、図２〜図５に示すように、上述した各孔部２Ａ２内に前側から押し込まれることでこれらの孔形状を塞ぐ形に嵌合して流通経路を遮断した状態となる左右一対の略矩形状の押込み片２１と、これら押込み片２１の上縁部間に跨って横長帯状に延びる可撓性面状の繋ぎ面部２２と、を一体的に有する形に形成されている。
【００２９】
上述した各押込み片２１は、それぞれ、袋状に縫製された可撓性面状のカバー構造の内部に発泡ウレタン製のパッド材が埋設された構成とされている。上記構成により、各押込み片２１は、それぞれ、上述した各孔部２Ａ２内に押し込まれることによって、各孔部２Ａ２の孔形状に合致する形に柔軟に押し潰されて、その押し潰されたことに伴う弾発力の作用によって各孔部２Ａ２内の流通経路を適切に塞いで遮断することができるようになっている。
【００３０】
上述した押込み部材２０は、図２〜図３に示すように、上述したカバー部材１０の裏側に重ねられた配置とされて、その繋ぎ面部２２の上縁部が上述したカバー部材１０の上縁部と共にバックカバー２Ｃに一体的に縫合された状態として取り付けられている（縫合部ＳＴ）。上記取り付けにより、押込み部材２０は、上述したカバー部材１０と同じ上側ヒンジの回転中心（縫合部ＳＴ）まわりにカバー部材１０とは別々に回転させることができる構成となっている。
【００３１】
また、上述した押込み部材２０は、上記のヒンジ連結された構成に加えて、上述した繋ぎ面部２２の可撓性により、図８及び図１０に示すように、上述した各押込み片２１を個別に各孔部２Ａ２内に押し込んだり各孔部２Ａ２内から個別に前側へ外し出したりすることが簡便に行えるようになっている。このような構成により、押込み部材２０は、図４〜図５に示すように、上述したカバー部材１０を開いて各孔部２Ａ２を前側から見えるようにした状態から、各押込み片２１を個別に各孔部２Ａ２内に目視で確認しながら適切に押し込むことができるようになっている。
【００３２】
上述した押込み部材２０は、上述した各押込み片２１を、上述した各孔部２Ａ２に対して、これらの周辺の被覆面部２Ａ１と略面一状の面を成す形となる位置まで内部に押し込むことができるようになっている。上記押し込みにより、図６〜図７に示すように、押込み部材２０の前面側にカバー部材１０を重ねるように閉じても、カバー部材１０が押込み部材２０によって裏側から形状の膨らみによるつっかえを受けることなく、カバー部材１０を他の天板メイン２Ａの領域と略面一状とする形に閉じて保持することができるようになっている。
【００３３】
ここで、図２〜図３に示すように、上述した押込み部材２０の各押込み片２１の下側の縁部には、同縁部に沿った外表面の全周域にわたって、横長帯状の面ファスナ２１Ａ（ループ面）が環状に縫着された状態となって設けられている。上述した各押込み片２１に縫着された各面ファスナ２１Ａ（ループ面）は、図４〜図５に示すように、それぞれ、各押込み片２１が各孔部２Ａ２内に押し込まれてセットされた状態となった際に、前述した被覆面部２Ａ１の下側の縁部に沿って縫着された面ファスナ２Ａ３（ループ面）と横一列に並んだ状態に設けられるようになっている。
【００３４】
したがって、上記各押込み片２１を各孔部２Ａ２内に押し込んでセットした後、カバー部材１０を閉じることにより、同カバー部材１０のカバー裏側面部１０Ａの下側の縁部に縫着された横長帯状の面ファスナ１１（フック面）が前述したように被覆面部２Ａ１の下側の縁部に沿って縫着された面ファスナ２Ａ３に当てられて結合されるのに加えて、各押込み片２１の下側の縁部に沿って縫着された各面ファスナ２１Ａにも当てられて結合されることとなる。上記結合により、カバー部材１０は、各孔部２Ａ２の形成領域に掛かる両角側の部分も、これら孔部２Ａ２内に押し込まれて嵌合している各押込み片２１を介して各孔部２Ａ２に対してバタ付かないように位置固定された状態として保持されるようになっている。
【００３５】
上述した押込み部材２０は、図８〜図１０に示すように、上述したチャイルドシートＣＲＳの各コネクタＣ１を各ＩＳＯＦＩＸアンカ４に押し込んでロックするためにカバー部材１０を開いた際には、次のように各押込み片２１を各孔部２Ａ２から外し出してこれらの取り付け位置を変えることにより、カバー部材１０を開いた状態に保持できるストッパとして機能できる状態に切り換えられるようになっている。すなわち、押込み部材２０は、上述したカバー部材１０を開いた後、各押込み片２１を各孔部２Ａ２から前側に外し出して、それらの裏側に縫着された前述した各面ファスナ２１Ａを、それぞれ、上述した被覆面部２Ａ１の各孔部２Ａ２の上側箇所に縫着された各面ファスナ２Ａ４（フック）に当てて結合することにより、カバー部材１０の閉じ位置に向けての落ち込み移動を阻止する状態へと切り換えられる。ここで、上述した各押込み片２１が本発明の「ストッパ」に相当し、面ファスナ２１Ａが本発明の「係合部」に相当する。
【００３６】
具体的には、上記結合により、各押込み片２１がカバー部材１０の上側ヒンジの回転中心（縫合部ＳＴ）を上側に越えて形状を張り出させた起立姿勢の状態となって保持される。上記各押込み片２１の状態保持により、カバー部材１０の閉じ位置に向けての回転移動が、各押込み片２１の回転中心（縫合部ＳＴ）を上側に越えた当接部２１Ｂとの当たりによるつっかえにより阻止された状態として保持される。詳しくは、各押込み片２１は、その対応する各面ファスナ２Ａ４への結合による上方側への張り出しにより、繋ぎ面部２２を上側へと引張った状態にして保持するようになっている。
【００３７】
上記繋ぎ面部２２の引張りにより、各押込み片２１は、カバー部材１０から重力作用による閉じられる方向の力を受けても、その力を上記繋ぎ面部２２に引張り力を作用させる力として受けるようになる。したがって、上記各押込み片２１が各面ファスナ２Ａ４に結合された力と、上記繋ぎ面部２２がカバー部材１０の重力作用を引張り力として受ける力と、この力をある程度の撓みを伴って受け止める各押込み片２１の硬さと、によって、カバー部材１０を開いた状態に適切に位置保持することができる。
【００３８】
その結果、カバー部材１０が上記開いた姿勢状態に保持されることから、各孔部２Ａ２が前側に露出した状態として保持される。したがって、図１１〜図１２に示すように、カバー部材１０に手を掛けて開いた状態に保持しておくことなく、各孔部２Ａ２内にチャイルドシートＣＲＳの各コネクタＣ１を差し込んで各ＩＳＯＦＩＸアンカ４にロックすることができ、チャイルドシートＣＲＳをシート１に簡便に装着することができる。
【００３９】
以上をまとめると、本実施例のシート１は次のような構成とされている。すなわち、チャイルドシート（チャイルドシートＣＲＳ）固定用のＩＳＯＦＩＸアンカ（ＩＳＯＦＩＸアンカ４）の少なくとも一部を覆い隠す開閉可能なカバー部材（カバー部材１０）を有する乗物用シート（シート１）であって、カバー部材（カバー部材１０）がＩＳＯＦＩＸアンカ（ＩＳＯＦＩＸアンカ４）を覆い隠すように閉じられた際にはシート裏側を向くがカバー部材（カバー部材１０）が開かれることでシート表側を向くように裏返されるカバー部材（カバー部材１０）のカバー裏側面部（カバー裏側面部１０Ａ）と、カバー部材（カバー部材１０）が開かれた際にカバー部材（カバー部材１０）とＩＳＯＦＩＸアンカ（ＩＳＯＦＩＸアンカ４）との間に露呈する中間部（被覆面部２Ａ１）と、カバー部材（カバー部材１０）を開いた状態に固定するストッパ（各押込み片２１）と、を有する。ストッパ（各押込み片２１）は、カバー部材（カバー部材１０）が開かれた状態時にカバー裏側面部（カバー裏側面部１０Ａ）もしくは中間部（被覆面部２Ａ１）の少なくとも一方（中間部（被覆面部２Ａ１））に着脱可能に係合する係合部（面ファスナ２１Ａ）と、他方（カバー裏側面部（カバー裏側面部１０Ａ））に対してカバー部材（カバー部材１０）の閉じられる方向の移動を規制可能に当接する当接部（当接部２１Ｂ）と、を有する。
【００４０】
このように、カバー部材（カバー部材１０）が開かれた際にシート表側に向けられるカバー裏側面部（カバー裏側面部１０Ａ）と中間部（被覆面部２Ａ１）とに跨ってストッパ（各押込み片２１）を着脱可能に設ける簡素な構成により、カバー部材（カバー部材１０）を開いた状態に適切に位置保持することができる。
【００４１】
また、ストッパ（各押込み片２１）の係合部（面ファスナ２１Ａ）が面ファスナにより構成されている。このような構成とされていることにより、ストッパ（各押込み片２１）の係合部（面ファスナ２１Ａ）を簡便かつコンパクトな構成とすることができる。
【００４２】
また、ＩＳＯＦＩＸアンカ（ＩＳＯＦＩＸアンカ４）が乗物用シート（シート１）に形成されたシート表側から凹む凹部（孔部２Ａ２）内に設けられている。ストッパ（各押込み片２１）が一方（中間部（被覆面部２Ａ１）又は他方（カバー裏側面部（カバー裏側面部１０Ａ））に繋がれていると共に、凹部（孔部２Ａ２）内にカバー部材（カバー部材１０）の閉じられる動きを阻害しない形に収めることのできる構成とされている。このような構成とされていることにより、不使用時のストッパ（各押込み片２１）を凹部（孔部２Ａ２）内に収めてカバー部材（カバー部材１０）を閉じることで、ストッパ（各押込み片２１）を紛失することなく外部に対して見栄え良く覆った状態としておくことができる。
【００４３】
また、カバー部材（カバー部材１０）とストッパ（各押込み片２１）とが乗物用シート（シート１）に対して互いに同一の回転中心まわりにヒンジ回転できるように繋がれた構成とされている。このような構成とされていることにより、カバー部材（カバー部材１０）とストッパ（各押込み片２１）とを互いに同じような操作感覚で動かすことができ、これらの操作性を向上させることができる。
【００４４】
また、カバー部材（カバー部材１０）が上側ヒンジの回転により開閉される構成とされている。。このような構成とされていることにより、カバー部材（カバー部材１０）が開かれた際にカバー部材（カバー部材１０）がチャイルドシート（チャイルドシートＣＲＳ）の上に乗り上がるおそれがなくなるため、チャイルドシート（チャイルドシートＣＲＳ）をより安定した位置固定状態とすることができる。また、カバー部材（カバー部材１０）をストッパ（各押込み片２１）による位置固定状態が解かれた後、重力作用により閉じる方向に付勢することができる。
【００４５】
以上、本発明の実施形態を１つの実施例を用いて説明したが、本発明は上記実施例のほか各種の形態で実施することができるものである。例えば、本発明の乗物用シートの構成は、鉄道等の自動車以外の車両や、航空機、船舶等の他の乗物用に供されるシートにも広く適用することができるものである。また、ＩＳＯＦＩＸアンカは、シートクッションの後端部に土手状に膨らむ部分が形成されて、同部分（シート本体部）に形成された孔部内等の箇所に設けられる構成であってもよい。上記ＩＳＯＦＩＸアンカは、必ずしもシートに形成されたシート表側から凹む凹部（貫通した孔部を含む）内に設けられる構成でなくてもよく、シートパッド内に一部の形状が露出するように略面一状に埋め込まれた状態として設けられるものであってもよい。
【００４６】
また、上記ＩＳＯＦＩＸアンカを覆い隠すカバー部材は、上側ヒンジに限らず、横側ヒンジや下側ヒンジで開閉回転するタイプの構成であってもよい。また、カバー部材は、必ずしもＩＳＯＦＩＸアンカの全体を覆い隠す構成でなくてもよく、少なくとも一部を覆い隠す構成であってもよい。また、ストッパは、直線運動やカバー部材とは異なる回転ヒンジを持つ回転運動で動かされる構成とされたものであってもよい。また、ストッパは、カバー部材に着脱可能に設けられて中間部に対して単に当接するように設けられるものの他、カバー部材と中間部との両方に対して着脱可能に設けられる構成とされていてもよい。
【００４７】
また、ストッパの係合部は、面ファスナの他、線ファスナやボタン、ホック、差込み式の係合構造等の様々な着脱可能な構造から成るものであってもよい。また、ストッパは、カバー部材又は中間部のうちのどちらかに対して、上述した着脱を許容できる状態に繋がれたものの他、どちらにも繋がれていない別体の構成とされたものであってもよい。
【符号の説明】
【００４８】
１      シート（乗物用シート）
２      シートバック
２Ａ    天板メイン
２Ａ１  被覆面部（中間部）
２Ａ２  孔部（凹部）
２Ａ２ａ  開口部
２Ａ２ｂ  開口部
２Ａ３  面ファスナ
２Ａ４  面ファスナ
２Ｂ    天板サイド
２Ｃ    バックカバー
２Ｐ    バックパッド
３      シートクッション
４      ＩＳＯＦＩＸアンカ
１０    カバー部材
１０Ａ  カバー裏側面部
１１    面ファスナ
２０    押込み部材
２１    押込み片（ストッパ）
２１Ａ  面ファスナ（係合部）
２１Ｂ  当接部
２２    繋ぎ面部
ＣＲＳ  チャイルドシート
Ｃ１    コネクタ
ＢＡ    バッテリ
Ａ      冷却風
ＳＴ    縫合部
【図１】
2018069958.tif 000003
【図２】
2018069958.tif 000004
【図３】
2018069958.tif 000005
【図４】
2018069958.tif 000006
【図５】
2018069958.tif 000007
【図６】
2018069958.tif 000008
【図７】
2018069958.tif 000009
【図８】
2018069958.tif 000010
【図９】
2018069958.tif 000011
【図１０】
2018069958.tif 000012
【図１１】
2018069958.tif 000013
【図１２】
2018069958.tif 000014